(57)【要約】  本発明は、回転可能なカメラ構成部品を備えた移動局であって、少なくとも２つの共通の位置を有する、カメラ構成部品に対して動く構成部品を含む本体と、その１つの位置が撮像のためのカメラ位置である、前記カメラ構成部品の少なくとも１つのカメラと、２つの構成部品間の位置を検出するための少なくとも１つのセンサと、アプリケーションを同時に実行させるためのマルチタスクオペレーティングシステムとがある移動局に関する。カメラアプリケーションは、動作メモリにプリロードするように構成され、センサは、前記カメラ構成部品のカメラ位置に基づいてカメラアプリケーションを開始するように構成されている。【選択図】図２
2008547342.tif 000002
【特許請求の範囲】
【請求項１】
キーパッド構成部品（１９）、カメラ（１５）及びキーパッド構成部品（１９）に対して回転可能な少なくとも１つの要素（１４）を備えた移動局（１０）における方法であって、前記要素（１４）が、前記キーパッド構成部品に対する撮像位置と、１つのオフ位置とに対応する少なくとも１つの撮像モードを有し、前記撮像位置が少なくとも１つのセンサ（１６）を用いて検出され、前記移動局のオペレーティングシステムを使用して動作メモリ（３６）にロードされたカメラアプリケーションを実行させることによって前記撮像モードで撮像が行われる移動局（１０）における方法において、
前記オペレーティングシステムとしてマルチタスクオペレーティングシステムが使用され、
前記移動局のスイッチがオンになったときに、前記カメラアプリケーションが自動的に前記動作メモリ（３６）にロードされて、前記マルチタスクオペレーティングシステムを用いてバックグラウンドで継続して動作状態が保持され、
前記要素（１４、１８）が前記撮像位置に転向／移動したことを前記センサ（１６）が検出したときに、前記移動局が、撮像のために前記カメラアプリケーションが動作状態にある前記撮像モードに設定される、
ことを特徴とする方法。
【請求項２】
前記回転可能な要素が、カメラ要素（１４）として形成される、
ことを特徴とする請求項１に記載の方法。
【請求項３】
前記回転可能な要素が、前記移動局のディスプレイ構成部品（１８）から形成されている、
ことを特徴とする請求項１に記載の方法。
【請求項４】
前記センサ（１６）が、プログラム割り込みを生成し、これによってフォーカスが前記割り込みに従ってアプリケーションに誘導される、ことを特徴とする請求項１から３のいずれかに記載の方法。
【請求項５】
前記カメラアプリケーションの開始が、前記要素が前記撮像位置に転向／移動することを検出することにだけ基づいて行われる、
ことを特徴とする、
請求項１から４のいずれかに記載の方法。
【請求項６】
キーパッド構成部品（１９）と、
少なくとも１つのカメラ（１５）と、
少なくとも２つの共通の位置すなわち撮像位置とオフ位置とを有する、前記キーパッド構成部品（１９）に対して回転可能な要素（１４、１８）と、
前記撮像位置を検出するための少なくとも１つのセンサ（１６）と、  アプリケーションを実行させるためのオペレーティングシステムと、
前記オペレーティングシステムを用いて前記撮像モードで実行させることになるカメラアプリケーションと、
を備えた移動局（１０）であって、
前記オペレーティングシステムが、アプリケーションを同時に実行させるため及び前記カメラアプリケーションをバックグラウンドで継続的に実行させるためのマルチタスクオペレーティングシステムであり、
前記移動局が、自動的に前記カメラアプリケーションを前記動作メモリ（３６）にプリロードする手段と、前記センサ（１６）が前記撮像位置を検出したときに前記移動局を前記撮像モードに設定する手段とを含む、
ことを特徴とする移動局（１０）。
【請求項７】
前記回転可能な要素が、カメラ要素（１４）である、
ことを特徴とする請求項６に記載の移動局（１０）。
【請求項８】
前記回転可能な要素が、前記移動局のディスプレイ構成部品（１８）である、
ことを特徴とする請求項６に記載の移動局（１０）。
【請求項９】
前記センサ（１６）が、ホールセンサである、
こと特徴とする請求項６から８のいずれかに記載の移動局（１０）。
【請求項１０】
前記移動局（１０）が、回転するディスプレイ構成部品（２０）と、その位置を検出する第２のセンサ（１６'）とを含む、
こと特徴とする請求項７に記載の移動局（１０）。
【請求項１１】
前記撮像位置の検出が、前記カメラアプリケーションを開始させる唯一の方法であるように構成されている、
ことを特徴とする請求項６から１０のいずれかに記載の移動局（１０）。
【請求項１２】
前記センサ（１６）がまた、前記撮像位置から出たときに前記バックグラウンドにアプリケーションを移動するように構成されている、
ことを特徴とする請求項６から１１のいずれかに記載の移動局（１０）。
【発明の詳細な説明】
【技術分野】
【０００１】
本発明は、キーパッド構成部品、カメラ、及びキーパッド構成部品に対して少なくとも１つの回転可能な要素を備えた移動局であって、該要素が、キーパッド構成部品に対する撮像位置と１つのオフ位置とに対応する少なくとも１つの撮像モードを有し、該撮像位置が少なくとも１つのセンサを用いて検出され、該撮像位置において移動局のオペレーティングシステムを使用して、動作メモリにロードされたカメラアプリケーションを実行することによって撮像モードで撮像が行われることを特徴とする移動局における方法に関する。本発明はまた、移動局自体に関する。
【背景技術】
【０００２】
移動局には、アプリケーションを実行させることを可能とするオペレーティングシステムが存在する。幾つかの移動局にはカメラがあり、この場合、電話操作と独立した幾つかのアプリケーションがカメラ及び撮像処理に関連する。カメラアプリケーションでは、ディスプレイは、カメラのビューファインダーとなり、キーパッドは、カメラの機能を制御するのに使用される。
【０００３】
従来の移動局オペレーティングシステムは、一度に単一のアプリケーションのみが実行できる、所謂単一タスク型のものである。現在では、２つ又はそれ以上のアプリケーションを同時に実行させることを可能とするマルチタスクオペレーティングシステムが広く使用されている。
【０００４】
カメラを備えた大部分の移動局は、撮像位置に回転し、及び撮像位置から回転することができる特別なカメラ構成部品を含む。一方、カメラソリューションもまた公知であり、ここでカメラのレンズは可動フラップによって保護されている。これは、撮像のための明確な撮像位置とレンズを保護するための保護位置とを有する。
【０００５】
回転／移動するカメラ構成部品を備えた既存の移動局では、カメラを使用するには、ユーザが幾つかの操作を行うことが必要となる。カメラ構成部品を回転又は移動するのに加えて、撮像を始めるためには一般に、１つ又はそれ以上のキーパッド操作が必要となる。これに対応して、回転するディスプレイ構成部品を備えた移動局においては、画像を見るには、ディスプレイ構成部品を表示位置にまで回転させること、更にキーパッド操作が必要となる。
【０００６】
米国特許出願公開ＵＳ２００４／０１９２２２０Ａｌでは、折り畳み型の基本構成を有する移動局を開示しており、ここで移動局は、ディスプレイ構成部品を１８０度まで回転させることによりカメラモードに変わる。カメラは、ディスプレイ構成部品の反対の側面上にある。更に、ディスプレイ構成部品／カメラは、９０度回転させることができる。既知のカメラ付電話機の場合、カメラアプリケーションは、メモリにロードされ、キーを押下することでオペレーティングシステムによって実行する。従って、極めて明白なようにこの場合でもリードリレーがカメラアプリケーションを起動し開始させている。
【０００７】
【特許文献１】米国公開特許ＵＳ２００４／０１９２２２０Ａｌ号
【発明の開示】
【０００８】
本発明は、請求項１のプレアンブルに従って移動局における撮像機能をもたらすことを意図しており、これまでのものよりも使用しやすくより高速となる。本発明による方法の特徴的機能は、当該請求項１の特徴部分に記載されている。本発明による移動局の特徴的機能は、これに対応して請求項６に記載されている。回転／移動要素は、マルチタスク環境下であれば常にあらゆるアプリケーションを迅速に開始させるのに使用することができる。
【０００９】
マルチタスクオペレーティングシステムが使用され、アプリケーションが動作メモリ中にプリロードされると、アプリケーションは直ちに開始されることになる。例えばメモリカード上にアプリケーションがあり、そこからメモリにロードされる開始時と比較すると、多くの場合、相違点はかなりのものとなる。従来では、カメラアプリケーションはオープン及びクローズを行わず、替わりにオペレーティングシステムが、例えば、以前のアプリケーション又はメインメニューのいずれかに対してこのアプリケーションとの間のフォーカスを移動させる。この場合、用語「フォーカスを移動する」とは、プログラムがディスプレイ及びキーパッドを制御し、一般的にはオペレーティングシステムによって提供されるリソースの使用を取得する場合に、プログラムを実行させることを意味する。カメラアプリケーションは、動作メモリ中に継続的に保持されており、従って、直ちにフォーカスに入る準備ができている。全ての場合において、カメラアプリケーションは、使用されないとしても、バックグラウンドで動作する。
【００１０】
ある実施形態では、撮像又は幾つかの他の同様な機能は、撮像位置（又は同様のもの）から離れるときに終了する。第３のある実施形態では、カメラ構成要素の撮像位置を検出するセンサは、所謂ホールセンサである。本発明の他の利点及び実施形態は、実施例と共に以下で検討されることになる。
【００１１】
以下において、本発明は、本発明の幾つかの実施形態を表す添付図面を参照しながら詳細に説明される。
【発明を実施するための最良の形態】
【００１２】
最初に、図１の移動局１０は、本体構成部品１２及びカメラ１５が内蔵されたカメラ構成部品１４を備える。本体１２は、キーパッド構成部品１９及びディスプレイ構成部品１８を含む２つの部品からなる。第１のディスプレイ２０は、閉じたモードで読み取れる（図１）。図２において、移動局１０のカメラ構成部品１４は、撮像位置に転向され、その後、カメラアプリケーション（カメラモード）が以下に説明する方法で開始される。撮像位置を検出するホールセンサであるセンサ１６が、図２に示されている。
【００１３】
図３において、ディスプレイ構成部品がほぼ１８０度まで回転されて、大型ディスプレイ２０’がディスプレイ構成部品中に現れ、キーパッド２２がキーパッド構成部品１９中に現れると、移動局は電話モードとなる。キーパッドはナビゲーションキー２２’を含む。この移動局１０の折り畳み型構造は特別であり、両半部分は、枢動ジョイント部２４及び２５でカメラ構成部品に取り付けられている。更に、ディスプレイ構成部品には、これを撮像位置（図４）にまで回転させるための枢動ジョイント部２６があり、この撮像位置で静止画又はビデオクリップを撮ることが可能である。電話モードに対応する位置を検出するための第２のセンサ１６’が、図３に示されているが、これに対応してディスプレイ構成部品１８のベース部は、第３のセンサ１６”を含む。
【００１４】
動作メモリ内にアプリケーションが準備されており、対応するセンサが位置の変化を検出したときに、オペレーティングシステムがアプリケーションにフォーカスを与えるのに十分である。従って、図１のモードから図２のモードに変化すると、撮像位置へのカメラ部品１４の回転がセンサ１６の助けによってオペレーティングシステムに割り込み動作を生じさせ、これに基づいてカメラアプリケーションが開始する（プログラムに対しフォーカスが変化する）。これに対応して、センサ１６’及び１６”が各々、事前に選択されたアプリケーションの開始を行わせる。これに対応して、カメラアプリケーションがバックグラウンドに移動するときに割り込みメッセージを用いることで、フォーカスが、カメラアプリケーションから、例えばメインメニューに移動することができる。
【００１５】
ある実施形態では、センサ１６が回転を検出（図２）するようにして、カメラモジュールが僅かに（例えば、５度〜１５度）転向したときにカメラアプリケーションが開始する。この場合、ＨＷ割り込みが、ＳＷベースのキーイベントを生成し、これによってカメラアプリケーションがマルチタスクオペレーティングシステムにおけるカバー表示に変更され、当該モードから出るときの逆の場合も同様である。本モードが起動されると、カメラモジュール１４の回転は、常に正しい方向になるように、ビューファインダー画像の方向を変える。
【００１６】
ディスプレイ構成部品１８が最初に約９０度転向して僅かに回転され、第３のセンサ１６”が回転を検出したときに、撮像及び表示モード（「撮像モード」、図４）が起動する。
【００１７】
図５は、移動局の簡易ブロック図を示す。マイクロプロセッサ３４（ＣＰＵ）は、プログラムに含まれるコマンドコードに従ってデータを処理する中央構成部品である。移動局には、一般に大容量メモリ（例えば３８）がある。最初に、動作にはプログラムメモリ３６’（ＲＯＭ）及び動作メモリ３６（ＲＡＭ）が必要となる。移動局の電源が入るとすぐに、アプリケーションが大容量メモリ３８又はプログラムメモリ３６’（ＲＯＭ）からＲＡＭメモリ３６にプリロードされる。
【００１８】
カメラ１５はビデオプロセッサ３２に接続され、該ビデオプロセッサはマイクロプロセッサ３４に接続される。キーパッド２２及び位置センサ１６，１６'、１６”は、マイクロプロセッサ３４にデータを送信する入力ユニット３０に接続される。
【００１９】
出力データは、出力ユニット４０により処理され、該出力ユニットからデータがディスプレイ２０及び２０’並びにオーディオユニット４２に導かれる。
【００２０】
プリロードされたアプリケーションのプログラム上の制御は、図６のフローチャートに示される。
【００２１】
電源をオン５０にすると、移動局は、直ちに事前に選択されたアプリケーションの動作メモリへの読み込み５１を行う。この動作は、ＰＩＮコード（ＧＳＭ電話機など）を入力することさえも必要ではない。その後、ステージ５２で、オペレーティングシステムのプログラムにおける割り込み検出ループに入る。位置センサ（１６，１６'、１６”）は、各々が固有の番号を有する、所謂割り込みを生成する。割り込みが発生すると、割り込み番号が検索され（ステージ５３）、割り込み番号を用いてアプリケーションを選択することができる（ステージ５４）。選択５５は、割り込み番号に従ってアプリケーションに対する動作（ステージ５６、５７又は５８の１つ）を案内する。これは、フォーカスを当該プログラムに移動させる問題であり、又は、終了と連動して、カメラアプリケーションがバックグラウンドに移動する場合に、ある特定のアプリケーションからメインメニュー又は他の事前選択のあるアプリケーションにフォーカスを移動させる問題である。
【図面の簡単な説明】
【００２２】
【図１】閉じたモードにおける本発明による１つの移動局を示す図である。
【図２】カメラ構成部品が撮像位置にある図１の移動局を示す図である。
【図３】電話モードにある図１の移動局を示す図である。
【図４】撮像及び表示モードにおける図１の移動局を示す図である。
【図５】移動局のブロック図である。
【図６】カメラ又は他の同様なアプリケーションの起動のフローチャートである。
【符号の説明】
【００２３】
１０  移動局
１２  本体
１４  カメラ構成部品
１５  カメラ
１６  センサ１６
１８  ディスプレイ構成部品
２０  第１のディスプレイ
【図１】
2008547342.tif 000003
【図２】
2008547342.tif 000004
【図３】
2008547342.tif 000005
【図４】
2008547342.tif 000006
【図５】
2008547342.tif 000007
【図６】
2008547342.tif 000008
【国際調査報告】
2008547342.tif 000009
2008547342.tif 000010
2008547342.tif 000011
2008547342.tif 000012